(57)【要約】【課題】防犯効果を高め、デザイン的にも優れた框内蔵式開操作補助装置を提供する。【解決手段】戸先側縦枠に係止して施錠可能な戸先錠と、障子の開操作の初動を軽減する開操作補助装置と、を備え、引違いサッシ又は片引きサッシの戸先框に設けられた戸先錠付開操作補助装置であって、この戸先錠付開操作補助装置に設けられたハンドルの操作に連動して、前記戸先錠の開錠及び施錠、並びに前記開操作補助装置による障子の開操作がなされ、施錠時には、このハンドルは前記戸先框内に収納される構成とする。【選択図】図４
2007002524.tif 000002
【特許請求の範囲】
【請求項１】
戸先側縦枠に係止して施錠可能な戸先錠と、障子の開操作の初動を軽減する開操作補助装置と、を備え、
引違いサッシ又は片引きサッシの戸先框に設けられた戸先錠付開操作補助装置であって、
この戸先錠付開操作補助装置に設けられたハンドルの操作に連動して、前記戸先錠の開錠及び施錠、並びに前記開操作補助装置による障子の開操作がなされ、
施錠時には、このハンドルは前記戸先框内に収納される構成とされた、
ことを特徴とする戸先錠付開操作補助装置。
【請求項２】
ハンドルは、前記戸先框内に嵌め込まれるハンドル座に取付けられる構成とされ、
このハンドルは、前記ハンドル座内に嵌合可能なハンドル本体と、前記ハンドル座に回動自在に軸支されるハンドル軸と、このハンドル軸を支点としてハンドル本体を持ち上げ可能とするヒンジ部と、を備え、
施錠時には、前記ハンドル本体は前記ハンドル座内に収納され、
開錠の際には、前記ハンドル本体を持ち上げると共に、回動させることにより、前記戸先錠が開錠され、かつ前記開操作補助装置による障子の開操作がなされる構成とした、請求項１記載の戸先錠付開操作補助装置。
【請求項３】
ハンドル本体がハンドル座に収納された状態では、該ハンドル本体はハンドル座に係止された構成とされ、
ハンドル本体のハンドル座への係止を解除することにより、ハンドル本体が連動して自動的に持ち上がる構成とされた、請求項２記載の戸先錠付開操作補助装置。
【請求項４】
ハンドル本体には、その表面に取付けられたボタン操作により、ハンドル座への係止状態を解除可能な係止解除機構が設けられた、請求項３記載の戸先錠付開操作補助装置。
【請求項５】
前記開操作補助装置は、ハンドルの操作に連動して回動するアームがサッシ縦枠を押圧することにより、開操作の初動が軽減される構成とされ、
該アームは開錠時には水平姿勢が維持され、この状態ではアームがサッシ縦枠に当接して、一定の間隔以下に前記戸先框が閉じられないように規制される、請求項１乃至４のいずれか１項記載の戸先錠付開操作補助装置。
【発明の詳細な説明】
【技術分野】
【０００１】
本発明は、引違いサッシ又は片引きサッシの戸先框に設けられる戸先錠付開操作補助装置に関するものである。
【背景技術】
【０００２】
近年、ビルやマンション等の建築物の高層化や窓開口の大型化に伴い、窓枠に取付けられた引違い式又は片引き式の障子自体が重くなってきており、また、高断熱化・高気密化住宅の普及に伴い、複層ガラス仕様の障子を使用する場合も増えてきている。これらの障子の開閉の際には、大きな力を要している。
【０００３】
そこで、従来より、これらの引違い式又は片引き式の窓障子を開ける際に、障子の開け始めの際の初動の力を軽減するため、テコの原理を利用した鎌錠付開操作補助装置（例えば、特許文献１参照）がある。
【特許文献１】特開２００４−３５３３７８号公報
【発明の開示】
【発明が解決しようとする課題】
【０００４】
しかしながら、従来のものは戸先框に取付ける取付台座、この台座をカバーするための台座カバー及び開閉するためのハンドルが、それぞれ障子の戸先框表面から露出（突出）しているため窓の外部から視認でき、防犯上好ましいものではなかった。また、障子の戸先框表面から露出（突出）していることによって、デザイン的にも好ましいものではなかった。
【０００５】
そこで、本発明の主たる課題は、防犯効果を高め、デザイン的にも優れた框内蔵式開操作補助装置を提供することにある。
【課題を解決するための手段】
【０００６】
上記課題を解決した本発明は、次のとおりである。
＜請求項１記載の発明＞
請求項１記載の発明は、戸先側縦枠に係止して施錠可能な戸先錠と、障子の開操作の初動を軽減する開操作補助装置と、を備え、引違いサッシ又は片引きサッシの戸先框に設けられた戸先錠付開操作補助装置であって、この戸先錠付開操作補助装置に設けられたハンドルの操作に連動して、前記戸先錠の開錠及び施錠、並びに前記開操作補助装置による障子の開操作がなされ、施錠時には、このハンドルは前記戸先框内に収納される構成とされた、ことを特徴とする戸先錠付開操作補助装置である。
【０００７】
（作用効果）
戸先錠の開錠及び施錠、並びに開操作補助装置による障子の開操作を手元で行なうためのハンドルを、施錠時には、戸先框内に収納できる構成とすることにより、ハンドルが障子の戸先框表面から露出（突出）せず、窓の外部から視認できないため、防犯効果を期待できる。また、障子の戸先框表面から露出（突出）しないことで、デザイン的にも優れる。
【０００８】
＜請求項２記載の発明＞
請求項２記載の発明は、ハンドルは、前記戸先框内に嵌め込まれるハンドル座に取付けられる構成とされ、このハンドルは、前記ハンドル座内に嵌合可能なハンドル本体と、前記ハンドル座に回動自在に軸支されるハンドル軸と、このハンドル軸を支点としてハンドル本体を持ち上げ可能とするヒンジ部と、を備え、施錠時には、前記ハンドル本体は前記ハンドル座内に収納され、開錠の際には、前記ハンドル本体を持ち上げると共に、回動させることにより、前記戸先錠が開錠され、かつ前記開操作補助装置による障子の開操作がなされる構成とした、請求項１記載の戸先錠付開操作補助装置である。
【０００９】
（作用効果）
施錠時には、ハンドル本体はハンドル座内に収納され、開錠の際には、前記ハンドル本体を持ち上げると共に、回動させることにより、前記戸先錠が開錠され、かつ前記開操作補助装置による障子の開操作がなされる構成とすることによって、施錠時にはハンドル本体がハンドル座内に収納された状態であるので、障子の戸先框表面から露出（突出）せず、窓の外部から視認できないため、防犯効果を期待できる。また、障子の戸先框表面から露出（突出）しないことで、デザイン的にも優れる。
【００１０】
＜請求項３記載の発明＞
請求項３記載の発明は、ハンドル本体がハンドル座に収納された状態では、該ハンドル本体はハンドル座に係止された構成とされ、ハンドル本体のハンドル座への係止を解除することにより、ハンドル本体が連動して自動的に持ち上がる構成とされた、請求項２記載の戸先錠付開操作補助装置である。
【００１１】
（作用効果）
ハンドル本体のハンドル座への係止を解除することにより、ハンドル本体が連動して自動的に持ち上がる構成とすることにより、ハンドル本体の持ち上げ操作が容易化され、操作性が向上する。
【００１２】
＜請求項４記載の発明＞
請求項４記載の発明は、ハンドル本体には、その表面に取付けられたボタン操作により、ハンドル座への係止状態を解除可能な係止解除機構が設けられた、請求項３記載の戸先錠付開操作補助装置である。
【００１３】
（作用効果）
ボタン操作により、ハンドル座への係止状態を解除できる構成であることにより、ハンドル本体の持ち上げ操作が容易化され、操作性が向上する。
【００１４】
＜請求項５記載の発明＞
請求項５記載の発明は、前記開操作補助装置は、ハンドルの操作に連動して回動するアームがサッシ縦枠を押圧することにより、開操作の初動が軽減される構成とされ、該アームは開錠時には水平姿勢が維持され、この状態ではアームがサッシ縦枠に当接して、一定の間隔以下に前記戸先框が閉じられないように規制される、請求項１乃至４のいずれか１項記載の戸先錠付開操作補助装置である。
【００１５】
（作用効果）
アームは開錠時には水平姿勢が維持され、この状態ではアームがサッシ縦枠に当接して、一定の間隔以下に前記戸先框が閉じられないように規制されるようにしたことにより、サッシ縦枠と戸先框の間で指を挟んでしまうことを防止することができる。
【発明の効果】
【００１６】
本発明に係る框内蔵式開操作補助装置によれば、防犯効果を高め、デザイン的にも優れる等の利点がもたらされる。
【発明を実施するための最良の形態】
【００１７】
以下、図１乃至図２２に基づき、本発明の実施の形態を説明する。なお、図１は本発明に係る框内蔵式開操作補助装置が取付けられた片引きサッシの横断面図であり、図２はその戸先框の拡大横断面図であり、図３はその拡大縦断面図及び縦正面図であり、図４は框内蔵式開操作補助装置の縦断面図であり、図５はハンドル座の正面図であり、図６はその縦断面図であり、図７はその背面図であり、図８はハンドルの正面図であり、図９はその縦断面図であり、図１０はハンドル軸の背面図であり、図１１はハンドルの上面図であり、図１２はローラ付アームの正面図であり、図１３は鎌錠の正面図であり、図１４はワッシャの正面図であり、図１５は施錠時のローラ付アームと鎌錠の関係を示す説明図であり、図１６は開錠時のローラ付アームと鎌錠の関係を示す説明図であり、図１７は施錠時の框内蔵式開操作補助装置の状態を示す説明図であり、図１８は障子が開かれる過程における框内蔵式開操作補助装置の状態（その１）を示す説明図であり、図１９は障子が開かれる過程における框内蔵式開操作補助装置の状態（その２）を示す説明図であり、図２０は障子が開かれる過程における框内蔵式開操作補助装置の状態（その３）を示す説明図であり、図２１は閉錠時の框内蔵式開操作補助装置の状態を示す説明図であり、図２２は開錠時の框内蔵式開操作補助装置の状態を示す説明図である。  
【００１８】
本発明に係る框内蔵式開操作補助装置は、ビルやマンション等の建築物の引違いサッシ又は片引きサッシに利用される障子に使用されるものである。例えば、図１には、片引き障子１１と嵌め殺し部１２とを有するビル用の片引きサッシ１０が示されており、片引きサッシ１０は、上枠（図示せず）、下枠１０Ａ、左縦枠１０Ｂ、右縦枠１０Ｃを四周枠組みすることで形成されると共に、このサッシに装着される片引き障子１１は、上框（図示せず）、下框（図示せず）及び召合せ框１１Ａ、戸先框１１Ｂとで四周を組み立てることにより形成されている。そして、本発明に係る框内蔵式開操作補助装置１は、図１乃至図４に示すように、戸先框１１Ｂに埋め込まれ、障子１１を閉じた状態では、右縦枠１０Ｃに取付けられたストライク１０ａに框内蔵式開操作補助装置１の鎌錠５が係止可能になっている。なお、符号の１０ｂはトロヨケである。
【００１９】
本発明に係る框内蔵式開操作補助装置１は、図１乃至図４に示すように、戸先框内部に嵌め込まれたハンドル座２と、このハンドル座内２に嵌合可能とされるハンドル３と、このハンドル３の開閉操作によって連動して回動するローラ付アーム４、ハンドル３の開閉操作によって連動して回動し開錠・施錠する鎌錠５と、を備えている。
【００２０】
ハンドル座２は、図２及び図４に示すように、戸先框１１Ｂに形成した開口に埋め込まれる構成になっており、背面に形成されたビス孔２Ａ，２Ａにビス（図示せず）を螺着させ、戸先框１１Ｂに取付けるようになっている。ハンドル座２の上方には、図５乃至図７に示すように、後述するハンドル軸３Ｃの回動部３ｄを回動自在に軸支する軸受部２Ｂが形成されている。そして、この軸受部２Ｂの上方には、図４及び図６に示すように、ボールプランジャー２Ｃが設けられている。このプランジャー２Ｃの先端に取付けられ、かつ圧縮バネ（図示せず）に支持されたボール２ａは、後述するハンドル軸３Ｃの円筒形状の回動部３ｄの側面に形成されたディンプル状の凹部３０ｄに係止されるようになっている。  
【００２１】
ハンドル３は、図４及び図９に示すように、ハンドル座２内に嵌合可能なハンドル本体３Ａと、ハンドル座２に回動自在に軸支され、ハンドル本体３Ａの開閉操作により回動するハンドル軸３Ｃと、このハンドル軸３Ｃを支点としてハンドル本体３Ａを持ち上げ（折曲）可能とするヒンジ部３Ｂと、を備えている。
【００２２】
ハンドル本体３Ａの形状は、ハンドル座２内に嵌合した状態で、戸先框１１Ｂの表面と略フラットになるようにフラット面で形成されている。ヒンジ部３Ｂを形成する軸支ピン３ａには、図４に示すように、トーションバネ３ｂが取付けられており、後述するプッシュボタン３１Ａを押すことによって、ハンドル本体３Ａのハンドル座２への係止状態が解除されると、ハンドル本体３Ａがヒンジ部３Ｂを支点として自動的に回動して持ち上がるようになっている。
【００２３】
このハンドル本体３Ａは、図１に示すように、施錠時には、ハンドル座２内に収納されているため、障子の戸先框１１Ｂ表面から露出（突出）せず、片引きサッシ１０の屋外部から視認できないため、防犯効果を期待できる。また、障子の戸先框１１Ｂ表面から露出（突出）しないことで、デザイン的にも優れる。さらに、開錠の際には、ハンドル本体３Ａを回動させるために、わざわざハンドル本体３Ａを摘んで、手前に持ち上げる必要はなく、ボタン操作のみで自動的に回動して持ち上がるようになっているので、ハンドル本体の持ち上げ操作が容易化され、操作性に優れるものとなっている。
【００２４】
ハンドル軸３Ｃは、図９乃至図１１に示すように、ハンドル座２に回動自在に取付けられる円筒形状の回動部３ｄと、後述するローラ付アーム４を係合させる角軸部３ｅと、後述する鎌錠５を回動自在に軸支する中軸３ｆと、を備えている。回動部３ｄの側面には、前述したボールプランジャー２Ｃのボール２ａを係止するディンプル状の凹部３０ｄが、図９、図１１、図２１及び図２２に示すように、２箇所形成されている。これら凹部３０ｄ，３０ｄは、図２１及び図２２に示すように、プランジャー２Ｃの先端に取付けられたボール２ａを係止することにより、ハンドル本体３Ａが垂直・水平姿勢で停止し、ハンドル本体３Ａの姿勢が、垂直（閉状態）及び水平（開状態）を維持しやすいように機能している。ここで、図２２に示すように、ハンドル本体３Ａの姿勢が水平（開状態）を維持している状態では、戸先框１１Ｂを閉めようとしてもローラ付アーム４のローラ４Ｂが右縦枠１０Ｃに当接して、一定の間隔以下に戸先框１１Ｂが閉じられないように規制されるようになっている。このように、ローラ付アーム４は、戸先框１１Ｂと右縦枠１０Ｃとの間の一定の間隔を確保し、戸先框１１Ｂと右縦枠１０Ｃとの間に指を挟まないようにする指挟み防止の機能も有する。
【００２５】
ハンドル本体３Ａのハンドル座２への取付けは、ハンドル座２の軸受部２Ｂにハンドル軸３Ｃの回動部３ｄを回動自在に嵌合させ、その状態で、ハンドル座２の背面から角軸部３ｅにワッシャ７を係合する。そして、このワッシャ７に密着させるようにローラ付アーム４を角軸部３ｅに係合する。次に、トーションバネ５Ｄが取付けられた鎌錠５をハンドル軸３Ｃの丸棒（円柱）状の中軸３ｆに貫通させ、その状態で押さえリング６を取付けることによって完了するものである。
【００２６】
ハンドル本体３Ａには、図４に示すように、ハンドル座２への係止状態を解除するための係止解除機構３１が設けられている。この係止解除機構３１は、プッシュボタン３１Ａと、このプッシュボタン３１Ａが押されることによって上方にスライドするスライダー（ラッチ）３１Ｂと、このスライダー３１Ｂを上方から押圧する板バネ３１Ｃと、を備えている。プッシュボタン３１Ａの先端はテーパー状に形成され、プッシュボタン３１Ａを押し込むことによって、スライダー３１Ｂが上方に押し上げられるようになっている。また、プッシュボタン３１Ａの先端と底蓋３１Ｄとの間には、プッシュボタン３１Ａを復帰させるための圧縮バネ３１Ｅが取付けられている。
【００２７】
前述したようにスライダー３１Ｂの上方には、板バネ３１Ｃが取付けられており、この板バネ３１Ｃがスライダー３１Ｂを下方に押し下げるように働いている。スライダー３１Ｂが下方に押し下げられた状態では、スライダー３１Ｂの先端がハンドル座２に形成されたツメ２Ｄに係止されるようになっており、スライダー３１Ｂが上方に押し上げられることによって、ハンドル本体３Ａの係止状態が解除されるようになっている。このように、ボタン操作により、ハンドル座２への係止状態を解除でき、ハンドル本体３Ａが自動的に持ち上がるようになっているので、ハンドル本体の操作性は優れている。
【００２８】
ローラ付アーム４は、図１２に示すように、アーム本体４Ａと、縦枠上を回動可能なローラ４Ｂと、このローラ４Ｂを軸支するローラ軸４Ｃと、を備えている。アーム本体４Ａには、角軸部３ｅに係合される係合孔４Ｄと、鎌錠５を係止可能な突起部４Ｅと、が形成されている。アーム本体４Ａは、角軸部３ｅに係合されることによってハンドル本体３Ａと一体化し、ハンドル本体３Ａの回動と連動して回動するようになっている。図１５及び図１７に示すように、ハンドル本体３Ａが、垂直になっている状態（閉状態）では、ローラ付アーム４も垂直になっており、障子１１の戸先框１１Ｃ内に収納されるようになっている。一方、図１８乃至図２０に示すように、ハンドル本体３Ａが回転して水平になるにつれて、障子１１の戸先框１１Ｃ内から右縦枠１０Ｃ側に突出するようになっている。突起部４Ｅは、図１８乃至図２０に示すように、鎌錠５の係止部５Ｂを係止可能としており、ハンドル本体３Ａが回転することにより、アーム本体４Ａに形成された突起部４Ｅも回転し、係止部５Ｂを介して鎌錠５を押し下げるようになっている（開状態）。また、鎌錠５に取付けられたトーションバネ５Ｄの一端部も、係止部に対向して突起部４Ｅに係止されるようになっているため、ハンドル本体３Ａが閉状態になるように回転すると、このトーションバネ５Ｄを介して鎌錠５が回転し、鎌錠５を押し上げるようになっている。
【００２９】
ローラ４Ｂは、アーム本体４Ａの先端部に形成されたローラ軸４Ｃに軸支されており、アーム本体４Ａが水平になるように回動すると、障子１１の戸先框１１Ｃ内から右縦枠１０Ｃ側に突出し、図１８及び図１９に示すように、この縦枠表面上を下方に摺動する。この移動と共に右縦枠１０Ｃ表面を押圧し、その反力が障子１１を開かせるように作用する。
【００３０】
鎌錠５は、図１３に示すように、右縦枠１０Ｃに取付けられたストライク１０ｂに係止される鎌部５Ａと、アーム本体４Ａに形成された突起部４Ｅに係止される係止部５Ｂと、を備えている。そして、ハンドル軸３Ｃの丸棒（円柱）状の中軸３ｆが貫通孔５Ｃを貫く構成であることによって、鎌錠５は、ハンドル軸３Ｃの中軸３ｆを中心に回動可能になっている。前述のように、鎌錠５の係止部５Ｂが突起部４Ｅに係止されることにより、図１８及び図１９に示すように、時計回りにハンドル本体３Ａが回転すると、係止部５Ｂを介して鎌錠５が押し下げられるようになっている（開状態）。また、鎌錠５には、貫通孔５Ｃをバネコイルの中心としたトーションバネ５Ｄが取付けられており、かつこのトーションバネ５Ｄの一端部が係止部５Ｂの反対方向から突起部４Ｅに係止されていることにより、反時計回りにハンドル本体３Ａが回転すると、このトーションバネ５Ｄを介して鎌錠５が回転し、鎌錠５が押し上げられるようになっている。
【図面の簡単な説明】
【００３１】
【図１】本発明に係る框内蔵式開操作補助装置が取付けられた片引きサッシの横断面図である。
【図２】その戸先框の拡大横断面図である。
【図３】その拡大縦断面図及び縦正面図である。
【図４】框内蔵式開操作補助装置の縦断面図である。
【図５】ハンドル座の正面図である。
【図６】その縦断面図である。
【図７】その背面図である。
【図８】ハンドルの正面図である。
【図９】その縦断面図である。
【図１０】ハンドル軸の背面図である。
【図１１】ハンドルの上面図である。
【図１２】ローラ付アームの正面図である。
【図１３】鎌錠の正面図である。
【図１４】ワッシャの正面図である。
【図１５】施錠時のローラ付アームと鎌錠の関係を示す説明図である。
【図１６】開錠時のローラ付アームと鎌錠の関係を示す説明図である。
【図１７】施錠時の框内蔵式開操作補助装置の状態を示す説明図である。
【図１８】障子が開かれる過程における框内蔵式開操作補助装置の状態（その１）を示す説明図である。
【図１９】障子が開かれる過程における框内蔵式開操作補助装置の状態（その２）を示す説明図である。
【図２０】障子が開かれる過程における框内蔵式開操作補助装置の状態（その３）を示す説明図である。
【図２１】閉錠時の框内蔵式開操作補助装置の状態を示す説明図である。
【図２２】開錠時の框内蔵式開操作補助装置の状態を示す説明図である。
【符号の説明】
【００３２】
１…框内蔵式開操作補助装置、２…ハンドル座、２Ａ…ビス孔、２Ｂ…軸受部、２Ｃ…ボールプランジャー、２Ｄ…ツメ、２ａ…ボール、３…ハンドル、３Ａ…ハンドル本体、３Ｂ…ヒンジ部、３Ｃ…ハンドル軸、３ａ…軸支ピン、３ｂ…トーションバネ、３ｄ…回動部、３ｅ…角軸部、３ｆ…中軸、４…ローラ付アーム、４Ａ…アーム本体、４Ｂ…ローラ、４Ｃ…ローラ軸、４Ｄ…係合孔、４Ｅ…突起部、５…鎌錠、５Ａ…鎌部、５Ｂ…係止部、５Ｃ…貫通孔、５Ｄ…トーションバネ、６…押さえリング、７…ワッシャ、８…、９…、１０…片引きサッシ、１０Ａ…下枠、１０Ｂ…左縦枠、１０Ｃ…右縦枠、１０ａ…ストライク、１０ｂ…トロヨケ、１１…片引き障子、１１Ａ…召合せ框、１１Ｂ…戸先框、１２…嵌め殺し部、３０ｄ…凹部、３１…係止解除機構、３１Ａ…プッシュボタン、３１Ｂ…スライダー（ラッチ）、３１Ｃ…板バネ、３１Ｄ…底蓋、３１Ｅ…圧縮バネ。
【図１】
2007002524.tif 000003
【図２】
2007002524.tif 000004
【図３】
2007002524.tif 000005
【図４】
2007002524.tif 000006
【図５】
2007002524.tif 000007
【図６】
2007002524.tif 000008
【図７】
2007002524.tif 000009
【図８】
2007002524.tif 000010
【図９】
2007002524.tif 000011
【図１０】
2007002524.tif 000012
【図１１】
2007002524.tif 000013
【図１２】
2007002524.tif 000014
【図１３】
2007002524.tif 000015
【図１４】
2007002524.tif 000016
【図１５】
2007002524.tif 000017
【図１６】
2007002524.tif 000018
【図１７】
2007002524.tif 000019
【図１８】
2007002524.tif 000020
【図１９】
2007002524.tif 000021
【図２０】
2007002524.tif 000022
【図２１】
2007002524.tif 000023
【図２２】
2007002524.tif 000024